(57)【要約】【課題】計算機の２重化による信頼性の確保ならびに指令室および訓練室の双方から運用を行い得る運用性の確保の両面の要請に応え得る電力系統監視装置および方法を提供すること。【解決手段】電力系統の状態量が与えられて表示情報および警報情報を出力する計算機と、前記電力系統を監視するために定められた設置箇所１〜Ｎに設置された警報出力装置および系統監視盤２５，３５，…と、前記計算機、前記警報出力装置および前記系統監視盤の間を接続する通信網２０とを備えた電力系統監視装置において、前記計算機６，７，８は、前記電力系統の状態量である系統情報を得て前記系統監視盤への表示情報、および前記警報出力装置２２，３２への警報情報を作成し、前記表示情報および前記警報情報を含む出力情報を運用者が設定した出力先へ伝送する電力系統監視装置、およびその方法。【選択図】図１
2008086074.tif 000002
【特許請求の範囲】
【請求項１】
電力系統の状態量が系統情報として与えられ、表示情報および警報情報を出力する計算機と、前記電力系統を監視するために予め定められた設置箇所１〜Ｎに設置された警報出力装置および系統監視盤と、前記計算機、前記警報出力装置および前記系統監視盤の間を接続する通信網とを備えた電力系統監視装置において、
前記計算機は、
前記系統情報を受け入れる系統情報入力手段と、
前記系統情報から前記系統監視盤への表示情報を作成する系統監視盤出力判定手段と、
前記系統情報により前記電力系統の異常を判定し、前記警報出力装置への警報情報を作成する警報出力判定手段と、
運用者が、前記計算機で作成した表示情報および警報情報を含む出力情報の出力先を設定する出力先入力手段と、
前記出力先入力手段により設定された出力先に前記表示情報を伝送する系統監視盤出力手段と、
前記出力先入力手段により設定された出力先に前記警報情報を伝送する警報情報出力手段とを備え、
前記警報出力装置は、
警報鳴動を含む警報を出力する警報出力手段と、
前記通信網経由で伝送された前記警報情報を前記警報出力手段に送信するプロトコル変換手段と
を備えることを特徴とする電力系統監視装置。
【請求項２】
請求項１の電力系統監視装置であって、
前記設置箇所１〜Ｎに設置されたアナウンス出力装置を更に備え、
前記アナウンス出力装置は、
スピーカを有し、このスピーカに音声出力する音声出力手段と、
前記通信網を経由して伝送されたアナウンス情報を前記音声出力手段に送信するプロトコル変換手段と、
を備え、
前記計算機は、前記計算機が備える手段に加え、
前記系統情報から系統の状態を判定し、アナウンス情報を作成するアナウンス出力判定手段と、
設定されたアナウンス出力先へアナウンス情報を伝送するアナウンス出力手段と
を備えることを特徴とする電力系統監視装置。
【請求項３】
請求項１の電力系統監視装置であって、
前記設置箇所１〜Ｎに設置されたテロップ表示装置を更に備え、
このテロップ表示装置は、
電光表示器を有し、この電光表示器に表示出力するテロップ出力手段と、
前記通信網を経由して伝送されたテロップ情報を前記テロップ出力手段に送信するプロトコル変換手段と、
を備え、
前記計算機は、
前記系統情報から系統の状態を判定し、前記テロップ表示装置に与えるテロップ情報を作成するテロップ出力判定手段と、
前記出力先入力手段により設定されたテロップ出力先へテロップ情報を伝送するテロップ出力手段と
を備えることを特徴とする電力系統監視装置。
【請求項４】
請求項１の電力系統監視装置であって、
前記設置箇所１〜Ｎに設置された時刻表示装置を更に備え、
この時刻表示装置は、
内部時計および電光表示器を有し、前記内部時計が作成した時刻情報に基き前記電光表示器に時刻を表示出力する時刻表示手段と、
前記通信網経由で伝送された前記時刻情報を前記時刻表示手段に送信するプロトコル変換手段と、
を備え、
前記計算機は、
前記計算機が作成する時刻情報を、設定された時刻表示出力先へ伝送する時刻情報出力手段を備えることを特徴とする電力系統監視装置。
【請求項５】
電力系統の状態量を系統情報として計算機に与えることにより得られた表示情報および警報情報を出力し、前記電力系統を監視するために予め定められた箇所１〜Ｎに警報出力装置および系統監視盤を設置し、前記計算機、前記警報出力装置および前記系統監視盤の間を通信網で接続して前記電力系統を監視する電力系統監視方法において、
前記計算機により、
前記系統情報から前記系統監視盤への表示情報を作成し、
前記系統情報から前記電力系統の異常を判定して前記警報出力装置への警報情報を作成し、
運用者が、前記計算機で作成した表示情報および警報情報を含む出力情報の出力先を設定し、
設定された出力先に前記表示情報および前記警報情報を伝送し、
前記警報出力装置により、
警報鳴動を含む警報を出力し、
前記通信網経由で伝送された前記警報情報を前記警報出力手段に送信する
ようにしたことを特徴とする電力系統監視方法。
【発明の詳細な説明】
【技術分野】
【０００１】
本発明は、給電指令所などに設置される電力系統監視装置および電力系統監視方法に関する。
【背景技術】
【０００２】
図１３は、従来の電力系統監視装置の構成図である。計算機６，７は２重化されており、情報伝送装置１０から系統状態情報を入力する計算機６，７で作成した系統状態表示情報および警報情報を、指令室に設置された系統監視盤２５および警報出力装置２１，７１に与え、表示、鳴動の出力を行う。
【０００３】
また、指令室の系統監視盤２５または警報出力装置２１，７１が使用できない場合には、計算機６，７のバックアップ機能を備える訓練用計算機８により作成した系統状態表示情報および警報情報を、訓練室に設置された系統監視盤３５および警報出力装置３１に与え、表示、鳴動の出力を行う。
【０００４】
ここで、計算機６，７，８における系統状態表示情報の作成および警報情報の作成を説明する。計算機６，７，８では、系統情報入力手段１１，５１，６１により系統状態情報を入力し、系統監視盤出力判定手段１４，５４，６４および警報出力判定手段１２，５２，６２に送る。
【０００５】
この系統監視盤出力判定手段１４，５４，６４は、系統情報から系統監視盤に表示する系統状態表示情報を作成し、系統監視盤出力手段４５，５５，６５に送る。警報出力判定手段１２，５２，６２は、系統情報の系統の異常情報から警報情報を作成し、警報情報出力手段４３，５３，６３に送る。
【０００６】
他方、系統監視盤出力手段４５，５５，６５は、指令室、訓練室の系統監視盤２５，３５へ系統状態ＬＡＮ２０を経由して表示情報を送信する。警報情報出力手段４３，５３，６３は、警報出力装置２１，７１，３１へ警報情報を送信する。
【０００７】
そして、系統監視盤２５，３５は、系統状態表示情報を受信し系統状態の表示を行う。また、警報出力手段２２，７２，３２は、警報情報を受信しスピーカ２４，７４，３４により警報鳴動を行う。
【特許文献１】特開２００４−１３４８７８号公報
【発明の開示】
【発明が解決しようとする課題】
【０００８】
従来の電力系統監視装置では、計算機６，７は２重化されており、それぞれ指令室の警報出力装置２１，７１と直結されている。計算機６，７の何れかが壊れた場合、壊れていない側の計算機６または７を使って系統監視盤への表示および警報出力を行うことができる。
【０００９】
また、訓練用計算機８は、計算機６，７のバックアップ機能を有しており、訓練室の警報出力装置３１と直結されている。この構成において、系統監視盤２５が壊れた場合、訓練用計算機８と、訓練室の系統監視盤３５および警報出力装置３１により系統監視盤への表示および警報の出力ができる。
【００１０】
しかし、この運用の場合、訓練用計算機８のみでの運用となり、計算機の２重化が確保できないから信頼性が落ちる。
【００１１】
また、計算機６，７の両方が壊れた場合も訓練用計算機８での運用となるが、訓練室での運用となるため、指令室で運用を行っている運用者が訓練室に移動しなければならず、運用に支障がある。
【００１２】
一方、運用者が訓練室へ移動せずに指令室で運用するには、訓練室の警報出力装置３１の出力を指令室のスピーカ２４へ直接接続すればよい。しかし、指令室と訓練室とは距離的に離れているために、接続を追加することが難しい。更に、指令室および訓練室がＷＡＮを介した遠隔地に離れている場合には、接続を追加することは不可能である。
【００１３】
また、システムリプレース時には旧システムと新システムとが併用運転されるが、指令室で旧システムの系統盤での運用がされている場合、新システムの系統監視盤２５を設置するスペースがなく、新システムは訓練室に系統監視盤３５を設置し、訓練用計算機８を使用して運転することになり、計算機の２重化が確保できず信頼性が落ちた状態での運転となる。
【００１４】
本発明は上述の点を考慮してなされたもので、計算機の２重化による信頼性の確保ならびに指令室および訓練室の双方から運用を行い得る運用性の確保の両面の要請を実現する電力系統監視装置を提供することを目的とする。
【課題を解決するための手段】
【００１５】
上記目的達成のため、本願では、下記の装置および方法を提供するものである。
【００１６】
第１に装置として、電力系統の状態量が系統情報として与えられ、表示情報および警報情報を出力する計算機と、前記電力系統を監視するために予め定められた設置箇所１〜Ｎに設置された警報出力装置および系統監視盤と、前記計算機、前記警報出力装置および前記系統監視盤の間を接続する通信網とを備えた電力系統監視装置において、
前記計算機は、
前記系統情報を受け入れる系統情報入力手段と、
前記系統情報から前記系統監視盤への表示情報を作成する系統監視盤出力判定手段と、
前記系統情報により前記電力系統の異常を判定し、前記警報出力装置への警報情報を作成する警報出力判定手段と、
運用者が、前記計算機で作成した表示情報および警報情報を含む出力情報の出力先を設定する出力先入力手段と、
前記出力先入力手段により設定された出力先に前記表示情報を伝送する系統監視盤出力手段と、
前記出力先入力手段により設定された出力先に前記警報情報を伝送する警報情報出力手段とを備え、
前記警報出力装置は、
警報鳴動を含む警報を出力する警報出力手段と、
前記通信網経由で伝送された前記警報情報を前記警報出力手段に送信するプロトコル変換手段と
を備えることを特徴とする電力系統監視装置、
を提供し、
第２に方法として、電力系統の状態量を系統情報として計算機に与えることにより得られた表示情報および警報情報を出力し、前記電力系統を監視するために予め定められた箇所１〜Ｎに警報出力装置および系統監視盤を設置し、前記計算機、前記警報出力装置および前記系統監視盤の間を通信網で接続して前記電力系統を監視する電力系統監視方法において、
前記計算機により、
前記系統情報から前記系統監視盤への表示情報を作成し、
前記系統情報から前記電力系統の異常を判定して前記警報出力装置への警報情報を作成し、
運用者が、前記計算機で作成した表示情報および警報情報を含む出力情報の出力先を設定し、
設定された出力先に前記表示情報および前記警報情報を伝送し、
前記警報出力装置により、
警報鳴動を含む警報を出力し、
前記通信網経由で伝送された前記警報情報を前記警報出力手段に送信する
ようにしたことを特徴とする電力系統監視方法、
を提供するものである。
【発明の効果】
【００１７】
本発明は上述のように、計算機、および訓練用計算機からの出力を系統監視盤と警報出力装置の設置箇所の何れにも出力可能となるので、何れかの設置箇所に設置された系統監視盤と警報出力装置が使用できなくても、他の設置箇所に切替えるのみで、系統監視盤と警報出力装置を使用したシステム運用が可能となる。
【００１８】
これにより、系統監視盤が故障した場合やシステムリプレース時の新システムの系統監視盤が設置できない期間において、２重化した計算機による信頼性の高い運用が可能となる。また、２重化した計算機が故障した場合には、訓練用計算機のバックアップ機能を使うことで運用者が訓練室に移動せずに指令室での運用が可能となる。
【発明を実施するための最良の形態】
【００１９】
以下、図１ないし図１２を参照して本発明の実施の形態を説明する。
【第１の実施の形態】
【００２０】
図１は、本発明における第１の実施の形態の構成を示すブロック線図である。この第１の実施の形態は、情報伝送装置１０から系統状態情報が与えられた計算機６で作成した系統状態表示情報および警報情報を設置箇所１〜Ｎに設置された系統監視盤２５，３５および警報出力装置２１，３１の何れからも表示、鳴動の出力ができるようにしたものである。
【００２１】
以下、図１における「設置箇所１」を給電指令所における指令室、「設置箇所Ｎ」を訓練室として説明する。
【００２２】
まずは、通常運用時の指令室で表示、鳴動の出力を行う場合を説明する。ＣＲＴ表示装置１６の画面表示と出力先入力手段１７とを用いて出力先設定ファイル１８から取り出した、系統監視盤出力先および警報情報出力先のＩＰアドレスを、指令室の系統監視盤２５および警報出力装置２１のＩＰアドレスとして設定する。
【００２３】
図２は、出力先設定ファイル１８のフォーマットを示したものであり、ＩＰアドレスによって出力先を指定する形式となっている。
【００２４】
図３は、第１の実施の形態に動作を説明するためのフローチャートであり、このフローチャートを用いて、図１に示した第１の実施の形態である電力系統監視装置の動作を説明する。この場合、計算機における系統情報の入力から系統状態表示情報の送信、警報情報の送信までの動作を説明する。
【００２５】
まず系統情報受信処理ステップ１０１（図３）では、系統情報入力手段１１が情報伝送装置１０を介して伝送されてきた系統情報を受信し、次いで、この系統情報を系統情報受け渡しステップ１０２で系統監視盤出力手段１４および警報出力判定手段１２に渡す。
【００２６】
この後、系統監視盤出力判定手段１４が、系統状態表示情報作成処理ステップ１０３で、系統監視盤に表示する系統状態表示情報を作成し、この系統状態表示情報を系統状態表示情報受け渡しステップ１０４により系統監視盤出力手段１５に渡す。
【００２７】
続いて系統監視盤出力手段１５が、出力先判定処理ステップ１０５により、出力先設定ファイル１８から与えられた系統監視盤出力先のＩＰアドレスの読み込み出力先を指令室の系統監視盤２５と判定した後、系統状態表示情報送信処理ステップ１０６により、通信網としてのＬＡＮ２０を経由して系統状態表示情報を送信し、終了となる。
【００２８】
他方、警報出力判定手段１２が、警報要否判定ステップ１０７で「警報有」であれば警報情報作成処理ステップ１０８に移行し、系統の異常情報から警報の有無を判定し、警報が必要な場合は、系統情報の警報情報を作成した上で、警報情報受け渡しステップ１０９により警報情報を警報情報出力手段１３に渡す（警報要否判定ステップ１０７で「警報無し」であれば、終了となる。）。
【００２９】
これに続いて警報情報出力手段１３では、出力先判定処理ステップ１１０で、出力先設定ファイル１８から警報情報出力先のＩＰアドレスを、読み込み出力先を指令室の警報出力装置２１と判定し、次いで警報情報送信処理ステップ１１１により、ＬＡＮ２０を経由して警報情報を送信し、終了となる。
【００３０】
指令室の系統監視盤２５は、ＬＡＮ２０を経て送られてきた系統状態表示情報を受信し系統状態の表示を行う。このとき、指令室の警報出力装置２１は、プロトコル変換手段２３により警報情報を受信し、警報出力手段２２に接点出力する。
【００３１】
図４（ａ）は、この際のプロトコル変換手段２３の変換動作を示す説明図である。この図４（ａ）に示すように、プロトコル変換手段２３は、ＴＣＰ／ＩＰのプロトコルによって送信された通信パケットから警報情報を取り出してＤＯ情報に変換する。このＤＯ情報に応じて、警報出力手段２２が、スピーカ２４による警報の鳴動を行う。図４（ｂ）ないし（ｄ）については、後述する。
【００３２】
次に、指令室の系統監視盤２５が使用できない場合に、訓練室で表示、鳴動の出力を行う場合を説明する。
【００３３】
ＣＲＴ表示装置１６の画面および出力先入力手段１７を用いて、出力先設定ファイル１８に、系統監視盤出力先および警報情報出力先を、それぞれ訓練室の系統監視盤３５および警報出力装置３１と設定する。
【００３４】
計算機６における処理は、系統監視盤出力手段１５、警報情報出力手段１３での出力先の判定以外は、通常運用時の指令室で表示、鳴動の出力を行う場合と同様である。
【００３５】
出力先の判定は、以下の通りに行う。系統監視盤出力手段１５が、出力先設定ファイル１８から系統監視盤出力先を読み込み、出力先が訓練室の系統監視盤３５であると判定する。また、警報情報出力手段１３は、出力先設定ファイル１８から警報情報の出力先を読み込み、警報情報の出力先が訓練室の警報出力装置３１であると判定する。
【００３６】
計算機からＬＡＮ２０を経て送信された系統状態表示情報は、訓練室の系統監視盤３５に送られ、系統状態の表示を行う。同様に、計算機からＬＡＮ２０を介して送信された警報情報は、訓練室の警報出力装置３１に送られ、警報の鳴動を行う。
【第１の実施の形態の変形例】
【００３７】
図５は、第１の実施の形態の変形例を示したもので、従来の電力系統監視装置と同様に、計算機６，７を２重化し、計算機６のバックアップ機能を有する訓練用計算機８を設置した構成としている。このような構成とすることで、系統監視盤２５が故障した場合でも、訓練室の系統監視盤３５、警報出力装置３１と２重化した計算機６，７とによる運用ができ、運用の信頼性を高めることができる。
【００３８】
また、２重化した計算機６，７が故障した場合には、訓練用計算機８と指令室の系統監視盤２５、警報出力装置２１での運用を行うことができ、運用者が訓練室に移動せずに運用することができる。
【第２の実施の形態】
【００３９】
図６は、本発明における第２の実施の形態の構成を示すブロック線図である。この第２の実施の形態は、第１の実施の形態を示す図１のＬＡＮ２０をＷＡＮ３０に代えた構成となっている。そして、設置箇所１〜ＮがＷＡＮで接続された遠隔地にある場合でも、第１の実施の形態と同様な運用が可能となる。
【第３の実施の形態】
【００４０】
図７は、本発明における第３の実施の形態の構成を示すブロック線図である。この第３の実施の形態は、第１の実施の形態の計算機６にアナウンス出力判定手段８０およびアナウンス情報出力手段８１を付加し、設置箇所１およびＮにアナウンス出力装置８２，８６を付加した構成となっている。
【００４１】
情報伝送装置１０から系統状態情報を入力した計算機６で作成した系統状態表示情報、警報情報、アナウンス情報を設置箇所１〜Ｎに設置された系統監視盤２５，３５、警報出力装置２１，３１、アナウンス出力装置８２，８６の何れからも表示、鳴動の出力ができるようにしたものである。以下、図７の設置箇所１を給電指令所における指令室、設置箇所２を訓練室として説明する。
【００４２】
まず、通常運用時の指令室での表示、鳴動、アナウンス出力を行う場合を説明する。
【００４３】
ＣＲＴ表示装置１６の画面から出力先入力手段１７を用いて、出力先設定ファイル１８に、系統監視盤出力先、警報情報出力先、アナウンス情報出力先のＩＰアドレスを、指令室の系統監視盤２５、警報出力装置２１、アナウンス出力装置８２のＩＰアドレスとして設定する。
【００４４】
計算機６における系統情報の入力から系統状態表示情報の送信、警報情報の送信と系統監視盤２５への系統情報の表示、警報出力装置２１での警報出力は、図１で説明した第１の実施の形態と同じである。
【００４５】
図８は、系統情報の入力からアナウンス情報の送信までの作用を示すフローチャートである。このフローチャートにおいて、系統情報受信処理ステップ１０１では、系統情報入力手段１１が、情報伝送装置１０を介して伝送されてきた系統情報を受信し、アナウンス出力判定手段８０に渡す。
【００４６】
アナウンス出力判定手段８０では、系統の異常情報からアナウンスの有無を判定し、アナウンスが有る場合は、アナウンス情報作成処理ステップ１１３によりアナウンス情報を作成し、アナウンス情報出力手段８１に渡す。
【００４７】
アナウンス情報出力手段８１では、出力先判定処理ステップ１１５により出力先設定ファイル１８からアナウンス情報出力先のＩＰアドレスを読み込み、出力先を指令室のアナウンス出力装置８２と判定し、アナウンス情報送信処理ステップ１１６により、ＬＡＮ２０を経由してアナウンス情報を送信し、終了する。
【００４８】
指令室のアナウンス出力装置８２は、プロトコル変換手段８４によりアナウンス出力情報を受信し、図４（ｂ）に示すように、ＴＣＰ／ＩＰのプロトコルにより送信された通信パケットからアナウンス出力情報を取り出し、ＲＳ２３２Ｃのシリアルデータに変換し、アナウンス出力手段８３に出力する。アナウンス出力手段８３は、スピーカ８５にてアナウンス出力を行う。
【００４９】
次に、指令室の系統監視盤２５が使用できない場合に、訓練室で表示、鳴動、アナウンス出力を行う場合を説明する。
【００５０】
ＣＲＴ表示装置１６の画面から出力先入力手段１７を用いて、出力先設定ファイル１８に、系統監視盤出力先、警報情報出力先、アナウンス情報出力先を、訓練室の系統監視盤３５、警報出力装置３１、アナウンス出力装置８６と設定する。計算機６における処理は、系統監視盤出力手段１５、警報情報出力手段１３、アナウンス情報出力手段８１での出力先の判定以外は、通常運用時の指令室で、表示、鳴動、アナウンス出力を行う場合と同様である。
【００５１】
出力先の判定は、以下の通りである。系統監視盤出力手段１５は、出力先設定ファイル１８から系統監視盤出力先を読み込み、訓練室の系統監視盤３５と判定する。警報情報出力手段１３は、出力先設定ファイル１８から警報情報の出力先を読み込み、訓練室の警報出力装置３１と判定する。アナウンス情報出力手段８１は、出力先設定ファイル１８からアナウンス情報の出力先を読み込み、訓練室のアナウンス出力装置８６と判定する。
【００５２】
計算機から送信された系統状態表示情報は、訓練室の系統監視盤３５に送られ、系統状態の表示を行う。計算機から送信された警報情報は、訓練室の警報出力装置３１に送られ、警報鳴動を行う。計算機から送信されたアナウンス情報は、訓練室のアナウンス出力装置８６に送られ、アナウンス出力を行う。
【第４の実施の形態】
【００５３】
図９は、本発明における第４の実施の形態の構成を示すブロック線図である。この第４の実施の形態は、第１の実施の形態における計算機６に、テロップ出力判定手段９０およびテロップ情報出力手段９１を付加し、設置箇所１，Ｎにテロップ出力装置９２，９６を付加した構成となっている。
【００５４】
これにより、情報伝送装置１０から系統状態情報を入力した計算機６で作成した系統状態表示情報、警報情報、テロップ情報を、設置箇所１〜Ｎに設置された系統監視盤２５，３５、警報出力装置２１，３１、テロップ出力装置９２，９６の何れからも表示、鳴動の出力ができるようにしたものである。
【００５５】
以下、図９の設置箇所１を給電指令所における指令室、また設置箇所Ｎを訓練室として動作を説明する。
【００５６】
まず、通常運用時の指令室での表示、鳴動を行う場合を説明する。ＣＲＴ表示装置１６の画面および出力先入力手段１７を用いて、出力先設定ファイル１８から取り出した、系統監視盤出力先、警報情報出力先、テロップ情報出力先のＩＰアドレスを、指令室の系統監視盤２５、警報出力装置２１、テロップ出力装置９２のＩＰアドレスとして設定する。
【００５７】
計算機６における系統情報入力から系統状態表示情報送信、警報情報送信と系統監視盤２５への系統情報表示、警報出力装置２１での警報出力は、図１で説明した第１の実施の形態と同じである。
【００５８】
図１０は、系統情報入力からテロップ情報送信までの作用を示すフローチャートである。まず、計算機内の系統情報入力手段１１が、系統情報受信処理ステップ１０１で、情報伝送装置１０を介して伝送されてきた系統情報を受信し、テロップ出力判定手段９０に渡す。テロップ出力判定手段９０では、系統の異常情報からテロップの有無を判定し、テロップが必要な場合は、テロップ情報作成処理ステップ１１８でテロップ情報を作成し、テロップ情報出力手段９１に渡す。
【００５９】
テロップ情報出力手段９１では、出力先判定処理ステップ１２０で、出力先設定ファイル１８からテロップ情報出力先のＩＰアドレスを読み込み、出力先を指令室のテロップ出力装置９２と判定し、テロップ情報送信処理ステップ１２１で、ＬＡＮ２０を経由してテロップ情報を送信し、終了する。
【００６０】
指令室のテロップ出力装置９２は、プロトコル変換手段９４でテロップ情報を受信し、図４（ｃ）に示すように、ＴＣＰ／ＩＰのプロトコルで送信された通信パケットからテロップ情報を取り出してＲＳ２３２Ｃのシリアルデータに変換し、電光表示器９３に出力する。電光表示器９３は、テロップ表示を行う。
【００６１】
次に、指令室の系統監視盤２５が使用できない場合に、訓練室で表示、鳴動の出力を行う場合を説明する。
【００６２】
ＣＲＴ表示装置１６の画面および出力先入力手段１７を用いて出力先設定ファイル１８に、系統監視盤出力先、警報情報出力先、テロップ情報の出力先を、訓練室の系統監視盤３５、警報出力装置３１、テロップ出力装置９６と設定する。計算機６における処理は、系統監視盤出力手段１５、警報情報出力手段１３、テロップ情報出力手段９１での出力先の判定以外は、通常運用時の指令室で表示、鳴動を行う場合と同様である。
【００６３】
出力先の判定は、以下の通りである。系統監視盤出力手段１５は、出力先設定ファイル１８から系統監視盤出力先を読み込み、訓練室の系統監視盤３５と判定する。警報情報出力手段１３は、出力先設定ファイル１８から警報情報の出力先を読み込み、訓練室の警報出力装置３１と判定する。テロップ情報出力手段９１は、出力先設定ファイル１８からテロップ情報の出力先を読み込み、訓練室のテロップ出力装置９６と判定する。
【００６４】
計算機から送信された系統状態表示情報は、訓練室の系統監視盤３５に送られ、系統状態の表示を行う。計算機から送信された警報情報は、訓練室の警報出力装置３１に送られ、警報鳴動を行う。計算機から送信されたテロップ情報は、訓練室のテロップ出力装置９６に送られ、テロップ表示を行う。
【第５の実施の形態】
【００６５】
図１１は、本発明における第５の実施の形態の構成を示すブロック線図である。この第５の実施の形態は、第１の実施の形態の計算機６に、時刻作成手段１５０および時刻情報出力手段１５１を付加し、設置箇所１，Ｎに時刻出力装置１５２，１５６を付加した構成となっている。
【００６６】
情報伝送装置１０から系統状態情報を入力した計算機６で作成した系統状態表示情報、警報情報、時刻情報を設置箇所１〜Ｎに設置された系統監視盤２５，３５、警報出力装置２１，３１、時刻出力装置１５２，１５６の何れからも表示、鳴動の出力ができるようにしたものである。
【００６７】
以下、図９の設置箇所１を、給電指令所における指令室、設置箇所Ｎを訓練室として説明する。
【００６８】
まず、通常運用時の指令室での表示、鳴動を行う場合を説明する。ＣＲＴ表示装置１６の画面および出力先入力手段１７を用いて出力先設定ファイル１８に、系統監視盤出力先、警報情報出力先、時刻情報出力先のＩＰアドレスを、指令室の系統監視盤２５、警報出力装置２１、時刻出力装置１５２のＩＰアドレスとして設定する。
【００６９】
計算機６における系統情報入力から系統状態表示情報送信、警報情報送信と系統監視盤２５への系統情報表示、警報出力装置２１での警報出力は、図１で説明した第１の実施の形態と同じである。
【００７０】
図１２は、時刻情報作成から時刻情報送信までの作用を示すフローチャートである。まず時刻作成手段１５０では、時刻情報作成処理ステップ１２２で計算機の時刻を取り出して時刻情報を作成し、時刻情報出力手段１５１に渡す。
【００７１】
時刻情報出力手段１５１では、出力先判定処理ステップ１２４により出力先設定ファイル１８から時刻情報出力先のＩＰアドレスを読み込み、出力先を指令室の時刻出力装置１５２と判定し、時刻情報送信処理ステップ１２５で、ＬＡＮ２０を経由して時刻情報を送信し、終了する。
【００７２】
指令室の時刻出力装置１５２は、プロトコル変換手段１５４で時刻情報を受信し、図４（ｄ）に示すように、ＴＣＰ／ＩＰのプロトコルにより送信された通信パケットから時刻情報を取り出し、ＲＳ２３２Ｃのシリアルデータに変換し、電光表示器１５３に出力する。電光表示器１５３は、時刻表示を行う。
【００７３】
次に、指令室の系統監視盤２５が使用できない場合に、訓練室により表示、鳴動の出力を行う場合を説明する。
【００７４】
ＣＲＴ表示装置１６の画面および出力先入力手段１７を用いて、出力先設定ファイル１８に、系統監視盤出力先、警報情報出力先、時刻情報出力先を、訓練室の系統監視盤３５、警報出力装置３１、時刻出力装置１５６と設定する。計算機６における処理は、系統監視盤出力手段１５、警報情報出力手段１３、時刻情報出力手段１５１での出力先の判定以外は、通常運用時の指令室で表示、鳴動を行う場合と同様である。
【００７５】
出力先の判定は、以下の通りである。系統監視盤出力手段１５は、出力先設定ファイル１８から系統監視盤出力先を読み込み、訓練室の系統監視盤３５と判定する。警報情報出力手段１３は、出力先設定ファイル１８から警報情報の出力先を読み込み、訓練室の警報出力装置３１と判定する。時刻情報出力手段１５１は、出力先設定ファイル１８から時刻情報の出力先を読み込み、訓練室の時刻出力装置１５６と判定する。
【００７６】
計算機から送信された系統状態表示情報は、訓練室の系統監視盤３５に送られ、系統状態の表示を行う。計算機から送信された警報情報は、訓練室の警報出力装置３１に送られ、警報鳴動を行う。また、計算機から送信された時刻情報は、訓練室の時刻出力装置１５６に送られ、時刻表示を行う。
【図面の簡単な説明】
【００７７】
【図１】本発明の第１の実施の形態の構成を示すブロック線図。
【図２】本発明の第１の実施の形態における、出力先設定ファイルの構成を示す説明図。
【図３】本発明の第１の実施の形態における、計算機の系統情報入力から系統状態表示情報送信、警報情報送信までの作用を示すフローチャート。
【図４】プロトコル変換の構成を示すブロック線図。
【図５】本発明の第１の実施の形態における計算機を２重化し、訓練用計算機を設置した構成を示すブロック線図。
【図６】本発明の第２の実施の形態の構成を示すブロック線図。
【図７】本発明の第３の実施の形態の構成を示すブロック線図。
【図８】本発明の第３の実施の形態における、計算機の系統情報入力から系統状態表示情報送信、警報情報送信、アナウンス情報送信までの作用を示すフローチャート。
【図９】本発明の第４の実施の形態の構成を示すブロック線図。
【図１０】第４の実施の形態における、計算機の系統情報入力から系統状態表示情報送信、警報情報送信、テロップ情報送信までの作用を示すフローチャート。
【図１１】本発明の第５の実施の形態を示す構成を示すブロック線図。
【図１２】本発明の第５の実施の形態における、計算機の系統情報入力から系統状態表示情報送信、警報情報送信、時刻情報送信までの作用のフローチャート。
【図１３】従来装置の構成を示すブロック線図。
【符号の説明】
【００７８】
６，７  計算機
８  訓練用計算機
１０  情報伝送装置
１１，５１，６１  系統情報入力手段
１２，５２，６２  警報出力判定手段
１３，４３，５３，６３  警報情報出力手段
１４，５４，６４  系統監視盤出力判定手段
１５，４５，５５，６５  系統監視盤出力手段
１６  ＣＲＴ表示装置
１７  出力先入力手段
１８  出力先設定ファイル
２０  ＬＡＮ
３０  ＷＡＮ
２１，３１，７１  警報出力装置
２２，３２，７２  警報出力手段
２３，３３  プロトコル変換手段
２４，３４，７４，８５，８９  スピーカ
２５，３５  系統監視盤
８０  アナウンス出力判定手段
８１  アナウンス情報出力手段
８２，８６  アナウンス出力装置
８３，８７  アナウンス出力手段
８４，８８  プロトコル変換手段
９０  テロップ出力判定手段
９１  テロップ情報出力手段
９２，９６  テロップ出力装置
９３，９７  電光表示器
９４，９８  プロトコル変換手段
１５０  時刻作成手段
１５１  時刻情報出力手段
１５２，１５６  時刻出力装置
１５３，１５７  電光表示器
１５４，１５８  プロトコル変換手段
１０１  系統情報受信処理ステップ
１０２  系統情報受け渡し処理ステップ
１０３  系統状態表示情報作成処理ステップ
１０４  系統状態表示情報受け渡し処理ステップ
１０５  出力先判定処理ステップ
１０６  系統状態表示情報送信処理ステップ
１０７  警報要否判定処理ステップ
１０８  警報情報作成処理ステップ
１０９  警報情報受け渡し処理ステップ
１１０  出力先判定処理ステップ
１１１  警報情報送信処理ステップ
１１２  アナウンス要否判定処理ステップ
１１３  アナウンス情報作成処理ステップ
１１４  アナウンス情報受け渡し処理ステップ
１１５  出力先判定処理ステップ
１１６  アナウンス情報送信処理ステップ
１１７  テロップ要否判定処理ステップ
１１８  テロップ情報作成処理ステップ
１１９  テロップ情報受け渡し処理ステップ
１２０  出力先判定処理ステップ
１２１  テロップ情報送信処理ステップ
１２２  時刻情報作成処理ステップ
１２３  時刻情報受け渡し処理ステップ
１２４  出力先判定処理ステップ
１２５  時刻情報送信処理ステップ
【図１】
2008086074.tif 000003
【図２】
2008086074.tif 000004
【図３】
2008086074.tif 000005
【図４】
2008086074.tif 000006
【図５】
2008086074.tif 000007
【図６】
2008086074.tif 000008
【図７】
2008086074.tif 000009
【図８】
2008086074.tif 000010
【図９】
2008086074.tif 000011
【図１０】
2008086074.tif 000012
【図１１】
2008086074.tif 000013
【図１２】
2008086074.tif 000014
【図１３】
2008086074.tif 000015